Podtech/llm-jp-corpus-v4-ja_patent huggingface dataset:
【手続補正書】
【提出日】平成23年12月12日(2011.12.12)
【手続補正１】
【補正対象書類名】特許請求の範囲
【補正対象項目名】全文
【補正方法】変更
【補正の内容】
【特許請求の範囲】
【請求項１】
多重経路を用いたストリーミングデータの送信方法であって、
送信可能な経路に関するシークエンシング情報を含む経路リストを管理して維持するステップと、
前記ストリーミングデータをフレーム化するステップと、
前記シークエンシング情報に応じて、前記経路を介して、前記フレーム化されたストリーミングデータを送信するステップと、
を含むことを特徴とするストリーミングデータ送信方法。
【請求項２】
多重経路を用いたストリーミングデータの受信方法であって、
ストリーミングデータフレームを受信して、前記受信したストリーミングデータフレームから前記ストリーミングデータを収集するステップと、
前記収集したストリーミングデータを検証した検証情報を生成し、前記ストリーミングデータの損失の有無を判断するステップと、
前記検証情報を基に前記ストリーミングデータを復元するステップと、
を含むことを特徴とするストリーミングデータ受信方法。
【請求項３】
ストリーミングデータフレームを受信して、前記受信したストリーミングデータフレームから前記ストリーミングデータを収集する前記ステップは、
前記ストリーミングデータフレームに含まれるメタデータ情報から、前記ストリーミングデータを収集することを特徴とする請求項２に記載のストリーミングデータ受信方法。
【請求項４】
前記検証情報を基に前記ストリーミングデータを復元する前記ステップは、
前記判断の結果、前記ストリーミングデータが一部失われており、前記ストリーミングデータがプログレッシブモードである場合、失われたラインデータの隣接ラインデータから、前記失われたラインデータを補間することを特徴とする請求項２に記載のストリーミングデータ受信方法。
【請求項５】
前記検証情報を基に前記ストリーミングデータを復元する前記ステップは、
前記判断の結果、前記ストリーミングデータが一部失われており、前記ストリーミングデータがインターレースモードである場合、他の経路で受信された前記ストリーミングデータの復号化情報から、失われたラインデータを復元することを特徴とする請求項２に記載のストリーミングデータ受信方法。
【請求項６】
前記検証情報を基に前記ストリーミングデータを復元する前記ステップは、
前記判断の結果、前記ストリーミングデータがすべて失われた場合、復元された前記ストリーミングデータフレームの加重平均を取って、前記失われたストリーミングデータを復元することを特徴とする請求項２に記載のストリーミングデータ受信方法。
【請求項７】
多重経路を用いたストリーミングデータの送受信装置であって、
送信可能な経路に関するシークエンシング情報を含む経路リストを管理して維持する経路管理モジュールと、
前記シークエンシング情報を含む前記ストリーミングデータをフレーム化して、選定されたアンテナを介して前記ストリーミングデータを送信するデータ送信モジュールと、
ストリーミングデータフレームに含まれるメタデータ情報から、前記ストリーミングデータを受信するデータ受信モジュールと、
前記ストリーミングデータの正確な受信の有無と前記ストリーミングデータの損失の有無を判断して、検証情報を生成するデータ検証モジュールと、
前記検証情報を基に前記ストリーミングデータを復元する復元モジュールと、
を含むことを特徴とするストリーミングデータ送受信装置。
【請求項８】
前記経路管理モジュールは、前記経路リスト情報を前記ストリーミングデータフレームのヘッダ部に挿入して、前記アンテナを介して前記ストリーミングデータが送信されるように制御することを特徴とする請求項７に記載のストリーミングデータ送受信装置。
【請求項９】
前記データ送信モジュールは、
前記ストリーミングデータがプログレッシブモードの場合、前記ストリーミングデータのラインデータを、順序を決めて、前記シークエンシング情報に対応して前記経路を介して送信し、
前記ストリーミングデータがインターレースモードの場合、前記ラインデータを複製して、前記シークエンシング情報に対応して１つ以上の前記経路を介して送信することを特徴とする請求項７に記載のストリーミングデータ送受信装置。
【手続補正書】
【提出日】平成24年1月13日(2012.1.13)
【手続補正１】
【補正対象書類名】特許請求の範囲
【補正対象項目名】全文
【補正方法】変更
【補正の内容】
【特許請求の範囲】
【請求項１】
外科手術において使用するための開創器（１１）であって、
最小限に侵襲性の手術のために、身体の一部になされた切開を介して挿入されるように適合され、かつ手術が行われる体腔内の手術野を照明するようにさらに適合された持ち上げ手段を提供するように構成された第１および第２の部品を備え、
前記開創器は、
所定の順序のプログラムに従って、前記手術野内の複数の領域に対して、選択的に別個の照明を提供するように構成された、複数の独立した照明デバイスを組み込むブレード部を備える、開創器（１１）。
【請求項２】
前記所定の順序は、
前記開創器のネックに配置された第１の光源（７１）が、入り口の組織の切開への動員を容易にするように操作可能であり、下方に向けられ、
続いて、前記第１の光源はスイッチをオフにされ、
前記開創器のブレードの下側に配置され、下方に向けられ、体腔の全体的な照明のために構成される第２の光源（７３）が作動され、
続いて、前方に向けられた前記開創器のブレードの下側に配置され、光を特に標的組織に方向付けるように構成された第３の光源（７２）が操作される、
順序である、請求項１に記載の開創器。
【請求項３】
前記照明デバイスは、スポットライトおよび投光照明として構成されたデバイスから選択される、請求項１または２に記載の開創器。
【請求項４】
少なくとも１つの照明デバイスはスポットライトとして構成され、少なくとも１つの照明デバイスは投光照明として構成される、請求項３に記載の開創器。
【請求項５】
表示デバイスは、前記開創器の、前記ブレード部の下に取り付けられる、請求項１から請求項４のいずれか一項に記載の開創器。
【請求項６】
前記ブレード部は間隔を置いた管状部分を備え、前記表示デバイスは前記管状部分に取り付けられた取り外し可能なポッド（２８）に取り付けられる、請求項５に記載の開創器。
【請求項７】
前記表示デバイスはスイベルまたはボール（９３）に取り付けられる、請求項５または請求項６に記載の開創器。
【請求項８】
前記表示デバイスは、前記ブレード部に対して移動可能である、請求項５から請求項７のいずれか一項に記載の開創器。
【請求項９】
前記ボールは、前記表示デバイスの挿入を可能にする貫通穴を有する、請求項７に記載の開創器。
【請求項１０】
前記表示デバイスは、テレスコープ、カメラ、ビデオカメラ、または他の画像キャプチャデバイスを備え、それらにより、表示された手術野が、画像表示部または保存デバイスに転送されることができる、請求項５から請求項９のいずれか一項に記載の開創器。
【請求項１１】
前記第１および第２の部品は、３０度から１２０度の角度で配置される、請求項１から請求項１０のいずれか一項に記載の開創器。
【請求項１２】
前記開創器は、器具が通過および取付けできる経路を備えるように構成される、請求項１から請求項１１のいずれか一項に記載の開創器。
【請求項１３】
電力を受け取るためのアダプタ、または蓄えられた電力源を備える、請求項１から請求項１２のいずれか一項に記載の開創器。
【請求項１４】
手術台（１６）を備えた手術室において使用するための装置であって、
前記装置は、使用の際に前記手術台に付随し、前記手術台上での外科手術を受ける被術者の身体部分を持ち上げるように適合された、持ち上げフレーム（１２）を備え、
前記持ち上げフレームは、直立した支持ポスト（１８）、および前記ポスト上に枢動可能に取り付けられた可動アーム（１７）を備え、
ある位置においては、前記アームは前記手術台の上に突き出ており、別の位置においては、前記アームは、枢動回転して離れ、前記手術台へのアクセスを可能にするように、前記アームは、前記直立した支持ポストを中心に回転でき、ならびに前記アームは、身体部分を持ち上げるのに使用するための取り外し可能な開創器（１１）を受けるように適合され、外科手術に使用するための開創器（１１）は、外科手術において使用するための開創器（１１）であって、最小限に侵襲性の手術のために、身体の一部になされた切開を介して挿入されるように適合され、かつ手術が行われる体腔内の手術野を照明するようにさらに適合された持ち上げ手段を提供するように構成された第１および第２の部品を備え、前記開創器は、所定の順序のプログラムに従って、前記手術野内の複数の領域に対して、選択的に別個の照明を提供するように構成された、複数の独立した照明デバイスを組み込むブレード部を備える、装置。
【請求項１５】
突き出ている支持アームに対して枢動回転する取り付け部がスラスト軸受を備える、請求項１４に記載の装置。
【請求項１６】
前記直立した支持ポストは、前記手術台の下を通り、前記手術台の長手方向両側で固定され、ならびに、前記直立した支持ポスト（１８）に接続されるように構成された、複数の連結した耐荷重性のフレーム部材（５２）を備えるフレームアセンブリ（１４）によって、前記手術台に固定可能である、請求項１５に記載の装置。
【請求項１７】
前記耐荷重性の部材は、三点結合したフレームワークの形を成しており、前記直立した支持ポストは、前記フレームワークの頂点に配置され、フレーム部材によって、前記手術台に対して横切って配置された少なくとも第１および第２の固定用結合部（５１）に連結される、請求項１６に記載の装置。
【請求項１８】
前記固定用結合部は、前記フレームワークを再配置または除去することができるように前記手術台に調節可能に固定可能であるクランプを備える、請求項１７に記載の装置。
【請求項１９】
前記手術台上の被術者に手術を行う者の手術野に近接するように、モニタ（１５）が前記持ち上げフレームの前記アーム（１７）に取り付けられている、請求項１４から請求項１８のいずれか一項に記載の装置。
【手続補正書】
【提出日】平成24年1月12日(2012.1.12)
【手続補正１】
【補正対象書類名】特許請求の範囲
【補正対象項目名】全文
【補正方法】変更
【補正の内容】
【特許請求の範囲】
【請求項１】
椎間板の髄核を修復又は補完するための生体接着性ヒドロゲル組成物であって、
少なくとも第一成分、第二成分、及び、第三成分を含み、
第一成分は約0.1質量％〜約13.65質量％の濃度でアミン含有ポリマー成分を含み、
第二成分は約3質量％〜約35質量％の濃度で親水性ポリマー又はプレポリマー成分を含み、
第三成分は約0.1質量％〜約30質量％の濃度でアルデヒド成分を含み、
第一成分、第二成分、及び、第三成分は架橋される、組成物。
【請求項２】
アミン含有ポリマー成分が、ポリ(エチレンイミン)、ポリ(ジエチルアミノエチルメタクリラート)、ポリ(エチルアミノエチルメタクリラート)、アミン-グラフトポリ(ビニルアルコール)、及び、アミン含有ポリ(エチレングリコール)からなる群から選択される、請求項１に記載の組成物。
【請求項３】
アミン含有ポリマー成分が、ポリ(エチレンイミン)である、請求項１に記載の組成物。
【請求項４】
親水性ポリマー又はプレポリマー成分が、ポリ(ビニルアルコール)、及び、ポリ(エチレングリコール)からなる群から選択される、請求項１に記載の組成物。
【請求項５】
親水性ポリマー又はプレポリマー成分が、ポリ(ビニルアルコール)である、請求項１に記載の組成物。
【請求項６】
アルデヒド成分が、グルタルアルデヒド、ポリ(エチレングリコール)-ジアルデヒド、グリオキサール、ホルムアルデヒド、及び、マロンアルデヒドからなる群から選択される、請求項１に記載の組成物。
【請求項７】
アルデヒド成分が、グルタルアルデヒドである、請求項１に記載の組成物。
【請求項８】
第一成分及び第二成分が、低温ゲル化、脱水法、放射、及び、化学物質への暴露からなる群から選択される方法によって架橋される、請求項１に記載の組成物。
【請求項９】
第一、第二、及び、第三成分を、混合した直後〜４８時間の間に注入可能である、請求項１に記載の組成物。
【請求項１０】
アミン含有ポリマー成分及びアルデヒド成分が、約１対１の反応性のアミン基対アルデヒド基のモル比を成すように、組合される、請求項１に記載の組成物。
【請求項１１】
組成物が、ポリ(エチレンイミン)の水溶液で前調整される、請求項１に記載の組成物。
【請求項１２】
アミン含有ポリマー成分が、約5質量％〜約11質量％の濃度のポリ(エチレンイミン)であり、
親水性ポリマー又はプレポリマー成分が、約4質量％〜約15質量％の濃度のポリ(ビニルアルコール)であり、
アルデヒド成分が、約2質量％〜約7質量％の濃度である、請求項１に記載の組成物。
【請求項１３】
椎間板の髄核を修復又は補完するための生体接着性ヒドロゲル組成物であって、
少なくとも第一成分、第二成分、及び、第三成分を含み、
第一成分は約5質量％〜約11質量％の濃度でアミン含有ポリマー成分を含み、
第二成分は約4質量％〜約15質量％の濃度で親水性ポリマー又はプレポリマー成分を含み、
第三成分は約2質量％〜約7質量％の濃度でアルデヒド成分を含み、
第一成分、第二成分、及び、第三成分は架橋され、そして、
アミン含有ポリマー成分及びアルデヒド成分が、約１対１の反応性のアミン基対アルデヒド基のモル比を成すように、組合される、組成物。
【請求項１４】
生体接着性ヒドロゲル組成物を形成するためのキットであって：
室温又は手術室条件下で、注入可能であるのに十分な濃度でアミン含有ポリマー成分を含む、少なくとも１つの第一容器；
室温又は手術室条件下で、注入可能であるのに十分な濃度で親水性ポリマー又はプレポリマー成分を含む、少なくとも１つの第二容器；及び
室温又は手術室条件下で、注入可能であるのに十分な濃度でアルデヒド成分を含む、少なくとも１つの第三容器；
を含み、
ここで、アルデヒド成分、アミン含有ポリマー成分、及び、親水性ポリマー又はプレポリマー成分が混合されるときに、組成物は、架橋されて、約0.1質量％〜約13.65質量％のアミン含有成分、約3質量％〜約35質量％の親水性ポリマー又はプレポリマー成分、及び、約0.1質量％〜約30質量％のアルデヒド成分を含む、キット。
【請求項１５】
生体接着性ヒドロゲル組成物を形成するためのキットであって：
親水性ポリマー又はプレポリマー成分に架橋されたアミン含有ポリマー成分を含む前駆体組成物を含む、少なくとも１つの第一容器；及び
室温又は手術室条件下で、注入可能であるのに十分な濃度でアルデヒド成分を充填された、少なくとも１つの第二容器；
を含み、
ここで、アルデヒド成分、アミン含有ポリマー成分、及び、親水性ポリマー又はプレポリマー成分が混合されるときに、組成物は、架橋されて、約0.1質量％〜約13.65質量％のアミン含有成分、約3質量％〜約35質量％の親水性ポリマー又はプレポリマー成分、及び、約0.1質量％〜約30質量％のアルデヒド成分を含む、キット。
【請求項１６】
前駆体組成物が、ヒドロゲルである、請求項１５に記載のキット。
【請求項１７】
前駆体組成物が、室温又は手術室条件下で、注入可能である、請求項１５に記載のキット。
【請求項１８】
椎間板の髄核を修復又は補完する患者に移植するための生体接着性ヒドロゲル組成物の製造における第一成分、第二成分、及び、第三成分の使用であって：
第一成分が約0.1質量％〜約13.65質量％の濃度でアミン含有ポリマー成分を含み、第二成分が約3質量％〜約35質量％の濃度で親水性ポリマー又はプレポリマー成分を含み、第三成分が約0.1質量％〜約30質量％の濃度でアルデヒド成分を含み、ここで、第一成分、第二成分、及び、第三成分は架橋されている、使用。
【請求項１９】
生体接着性ヒドロゲル組成物が、注入によって患者に移植されるためのものである、請求項１８に記載の使用。
【請求項２０】
生体接着性ヒドロゲル組成物が、インサイチュ凝固するものである、請求項１８に記載の使用。
【請求項２１】
凝固した組成物を患者に挿入することによって、生体接着性ヒドロゲル組成物が、患者に移植されるためのものである、請求項１８に記載の使用。
【請求項２２】
組成物が、患者への移植前に、ポリ(エチレンイミン)の水溶液で前調整されるものである、請求項１８に記載の使用。
【請求項２３】
アミン含有ポリマー成分及びアルデヒド成分が、約１対１の反応性のアミン基対アルデヒド基のモル比を成すように、組合される、請求項１８に記載の使用。
【手続補正書】
【提出日】平成24年5月29日(2012.5.29)
【手続補正１】
【補正対象書類名】特許請求の範囲
【補正対象項目名】全文
【補正方法】変更
【補正の内容】
【特許請求の範囲】
【請求項１】
患者管理システムにおいて使用する埋込型医療デバイスであって、
該医療デバイスは、
身体特徴を測定し、測定値を記述するデータ信号を生成することが可能なセンサーと、
該データ信号を分析するように構成され、患者の健康のために注意すべき１つ以上の有意な事象を識別するように構成されたプロセッサーと、
第一のワイヤレス送信機／受信機を備えている第一の通信ユニットであって、該第一のワイヤレス送信機／受信機は、第一のワイヤレス送信機／受信機ユニットが外部のローカル送信機／受信機ユニットの短距離遠隔測定通信の範囲内にある場合、該外部のローカル送信機／受信機ユニットを用いてホストコンピューターと第一の通信リンクを確立することにより、該１つ以上の有意な事象の少なくとも通知を該第一の通信リンクを用いて該ホストコンピューターに送達することが可能である、第一の通信ユニットと、
第二のワイヤレス送信機／受信機ユニットを備えている第二の通信ユニットであって、該第二のワイヤレス送信機／受信機ユニットは、パーベイシブワイヤレス通信ネットワークを介して該ホストコンピューターと第二の通信リンクを確立することにより、該１つ以上の有意な事象の少なくとも通知を該第二の通信リンクを介して該ホストコンピューターに送達することが可能である、第二の通信ユニットと、
該第一の通信ユニットと該第二の通信ユニットとの両方に動作可能に接続された単一のアンテナと
を備えている、デバイス。
【請求項２】
前記アンテナは、デュアルモードアンテナ、逆ｆ型アンテナ、単一モードアンテナ、フラクタルアンテナ、８００ＭＨｚ〜９５０ＭＨｚの周波数で電磁放射を送受信するように構成されているアンテナのうちの１つである、請求項１に記載のデバイス。
【請求項３】
前記パーベイシブワイヤレスネットワークは、ワイヤレスローカルエリアネットワークまたはワイヤレス広域ネットワークである、請求項１または２に記載のデバイス。
【請求項４】
前記第一の通信リンクは、短距離無線周波数リンクである、請求項１〜３のいずれかに記載のデバイス。
【請求項５】
前記アンテナは、単一モードアンテナであり、該アンテナは、８００ＭＨｚ〜９５０ＭＨｚの周波数で電磁放射を送受信するように構成され、該デバイスは、
該短距離無線周波数リンクに対して９００ＭＨｚ〜９５０ＭＨｚの周波数で電磁放射を送受信することと、
前記パーベイシブワイヤレス通信ネットワークとの前記第二の通信リンクに対して８００ＭＨｚ〜９００ＭＨｚの周波数で電磁放射を送受信することと
を行うように構成されている、請求項４に記載のデバイス。
【請求項６】
前記アンテナは、デュアルモードアンテナであり、
８００ＭＨｚ〜９５０ＭＨｚの周波数を有する第一のモードで電磁放射を送受信することと、
１７００ＭＨｚ〜２０００ＭＨｚの周波数を有する第二のモードで電磁放射を送受信することと
を行うように構成されている、請求項４に記載のデバイス。
【請求項７】
前記アンテナは、デュアルモードアンテナであり、
前記短距離無線周波数リンクに対して９００ＭＨｚ〜９５０ＭＨｚの前記第一のモード内の周波数で電磁放射を送受信することと、
８００ＭＨｚ〜９００ＭＨｚにおける該第一のモードと、１７００ＭＨｚ〜２０００ＭＨｚにおける前記第二のモードとのうちの１つにおいて、前記パーベイシブワイヤレス通信ネットワークとの前記第二の通信リンクに対する電磁放射を送受信することと
を行うように構成されている、請求項６に記載のデバイス。
【請求項８】
前記第一の通信ユニットおよび前記アンテナと動作可能に接続された第一のマッチングネットワークと、
前記第二の通信ユニットおよび該アンテナと動作可能に接続された第二のマッチングネットワークと
をさらに含む、請求項１〜７のいずれかに記載のデバイス。
【請求項９】
前記１つ以上の有意な事象は、心筋梗塞、代償障害事象が迫っていることを示す心臓信号、および前記埋込型医療デバイスによる除細動ショックの送達のうちの任意のものを含む、医学的注意に値する１つ以上の有意な医学的事象を含む、請求項１に記載のデバイス。
【請求項１０】
前記１つ以上の有意な事象は、システム故障、埋め込まれたリード線のインピーダンスの有意な変化、寿命が尽きる電池の状態、前記埋込型医療デバイスのリセット、該デバイスが療法モードでないこと、および自己テストの失敗のうちの任意のものを含む、該デバイスの正しい動作を脅かす１つ以上の有意なデバイス事象を含む、請求項１に記載のデバイス。
【請求項１１】
患者管理システムにおいて用いられる埋込型医療デバイスとホストコンピューターとの間の遠隔測定の方法であって、該方法は、
センサーおよびアンテナを備えている埋込型医療デバイスを提供することと、
該センサーを用いて身体特徴を測定し、測定値を記述するデータ信号を生成することと、
該データ信号を分析し、注意に値する１つ以上の有意な事象を識別することと、
該埋込型医療デバイスが該ホストコンピューター内の外部のローカル送信機／受信機ユニットの短距離遠隔測定通信の範囲内にある場合、該アンテナを介して第一の通信ユニットによって、該埋込型医療デバイスから該ローカル送信機／受信機ユニットに、第一の通信リンクを介してワイヤレスで送信することにより、該１つ以上の有意な事象の少なくとも通知を該第一の通信リンクを用いて該ホストコンピューターに送達することと、
該埋込型医療デバイスが該ローカル送信機／受信機ユニットの範囲外にある場合、該アンテナを介して該１つ以上の有意な事象の通知を、該埋込型医療デバイスから該ホストコンピューターに、パーベイシブワイヤレス通信ネットワークを介して第二の通信ユニットによってワイヤレスで送信することと
を包含する、方法。
【請求項１２】
前記パーベイシブワイヤレスネットワークを介してワイヤレスで送信することは、ワイヤレスローカルエリアネットワークまたはワイヤレス広域ネットワークを介して送信することを包含する、請求項１１に記載の方法。
【請求項１３】
前記第一の通信リンクを介してワイヤレスで送信することは、短距離無線周波数リンクを介して送信することを包含する、請求項１１または１２に記載の方法。
【請求項１４】
前記第一の通信リンクを介してワイヤレスで送信することは、９００ＭＨｚ〜９５０ＭＨｚの周波数で送信することを包含し、
前記第二の通信リンクを介してワイヤレスで送信することは、８００ＭＨｚ〜９００ＭＨｚの周波数で送信することを包含する、請求項１１〜１３のいずれかに記載の方法。
【請求項１５】
前記短距離無線周波数リンクに対して８００ＭＨｚ〜９５０ＭＨｚの周波数を有する第一のモードで電磁放射を送受信することと、
８００ＭＨｚ〜９００ＭＨｚにおける該第一のモードと、１７００ＭＨｚ〜２０００ＭＨｚにおける第二のモードとのうちの１つにおいて、前記ワイヤレス通信リンクとの第二の通信リンクに対する該第二のモードで電磁放射を送受信することと
を包含する、請求項１１に記載の方法。
【手続補正書】
【提出日】平成23年12月15日(2011.12.15)
【手続補正１】
【補正対象書類名】特許請求の範囲
【補正対象項目名】全文
【補正方法】変更
【補正の内容】
【特許請求の範囲】
【請求項１】
物質の皮膚適用を意図したパッチを製造するための方法であって、パッチが導電性支持体を包含し、パッチの支持体上に物質の液体調合物の電気流体力学的スプレーによる堆積を含むことを特徴とする、方法。
【請求項２】
ａ）スプレーノズル（１１）から距離を置いて導電性支持体（３１）を配置する工程；
ｂ）物質（２１）を含有する液体調合物をスプレーノズル（１１）に提供する工程；
ｃ）ノズル（１１）と支持体（３１）との間にエアロゾル（２２）を形成するように、電場に調合物（２１）を送り出す工程；および
ｄ）支持体（３１）上に形成された、エアロゾル（２２）からの粒子を支持体上で収集する工程
により、支持体（３１）上に物質（２１）の液体調合物の電気流体力学的スプレーによる堆積を含むことを特徴とする、請求項１記載の方法。
【請求項３】
物質が生体適合溶剤に溶解していることを特徴とする、請求項１または２記載の製造方法。
【請求項４】
液体調合物を形成するため、０〜１５体積％のアルコールおよび／または０〜２重量％の界面活性剤を含む水性溶剤に対し、タンパク質またはタンパク質の混合物である物質が溶解していることを特徴とする、請求項３記載の方法。
【請求項５】
液体調合物を形成するため、物質がアルコール中で安定し、アルコールに溶解していることを特徴とする、請求項２記載の製造方法。
【請求項６】
エアロゾルを形成する液滴が２０μm以下の平均直径を有することを特徴とする、請求項１〜５のいずれか１項記載の製造方法。
【請求項７】
（ｉ）スプレーノズル（１１）とアース接続された支持体（３１）との間、（ｉｉ）スプレーノズル（１１）と、リングまたは穴付きプレートとして、極性を与えられるか、アースに接続され、スプレーノズルと支持体との間に位置付けられた対電極（１２）との間または（ｉｉｉ）スプレーノズル（１１）と、アースおよび支持体（３１）の接点に接続された一つ以上の接点（４１、４４）との間に電位差を適用することにより、電場が形成される、請求項２〜４のいずれか１項記載の製造方法。
【請求項８】
同時または非同時のいずれかで動作する、いくつかの電気流体力学的スプレーデバイス（１１）により、物質（２１）がスプレーされ、各デバイスがパッチ支持体上に物質堆積をもたらす、請求項１〜７のいずれか１項記載の製造方法。
【請求項９】
エアロゾルの形成が周囲空気中または空気以外のガス雰囲気中で行われる、請求項１〜８のいずれか１項記載の製造方法。
【請求項１０】
ガスが、絶縁ガス、例えば、二酸化炭素である、請求項９記載の製造方法。
【請求項１１】
物質（２１）が、医薬、美容、ワクチンおよび／または診断物質であり、ポリペプチド、タンパク質または化学分子を含むことを特徴とする、請求項１〜１０のいずれか１項記載の製造方法。
【請求項１２】
アルコールがエタノールである、請求項３〜９のいずれか１項記載の製造方法。
【請求項１３】
物質（２１）を含有する液体調合物が、スプレー中に定流動速度、好ましくは１．５mL／時未満でノズルに提供される、請求項２〜１２のいずれか１項記載の製造方法。
【請求項１４】
導電性支持体が、導電性材料に基づくか、導電性が作られるように表面またはバルクにおいて処理された支持体である、請求項１〜１３のいずれか１項記載の製造方法。
【請求項１５】
支持体がノズルと対面して位置付けられた少なくとも一つの導電性面を含む、請求項１〜１４のいずれか１項記載の製造方法。
【請求項１６】
支持体が、生体適合材料であり、好ましくは、添加ポリマー、生体適合金属または支持体の一つもしくは両方の面を導電性層でコーティングされたポリマーから選択される、請求項１〜１３のいずれか１項記載の製造方法。
【請求項１７】
導電性層が、金属、炭素、グラファイトまたは酸化物からなる、請求項１６記載の製造方法。
【請求項１８】
金属が、金、銀、プラチナまたはアルミニウムである、請求項１７記載の製造方法。
【請求項１９】
酸化物がスズ添加インジウム酸化物（ＩＴＯ）である、請求項１７記載の製造方法。
【請求項２０】
さらに、低圧力または大気圧力でのプラズマ処理および／またはメタライゼーションおよび／または酸化物の堆積および／またはグラファイトの堆積からなる、スプレー工程前に支持体を処理する工程を含む、請求項１〜１９のいずれか１項記載の製造方法。
【請求項２１】
物質（２１）が支持体（３１）の電気的に導電である面上に堆積される、請求項１〜２０のいずれか１項記載の製造方法。
【請求項２２】
支持体が導電性層でコーティングされた絶縁ポリマーからなり、スプレーノズル（１１）と、アースおよび支持体（３１）の接点に直接接続された少なくとも一つの接点（４１、４４）を通し、アースに接続された支持体（３１）との間に電位差を適用することにより、電場が形成される、請求項２〜２１のいずれか１項記載の製造方法。
【請求項２３】
物質が噴射されるパッチの支持体が本質的に平坦であることを特徴とする、請求項１〜２２のいずれか１項記載の製造方法。
【請求項２４】
さらに、乾燥残留物として物質を得るため、エアロゾル（２２）からの粒子の堆積中および／または堆積後に溶剤の蒸発を増加させる手段を含む、請求項１〜２３のいずれか１項記載の製造方法。
【請求項２５】
加熱、対流、照射、フリーズ乾燥またはドライガスの循環により、蒸発手段が達成される、請求項２４記載の製造方法。
【請求項２６】
外環境から物質（３３）を絶縁するため、物質（２２）が堆積された支持体が、その後、パッケージングされる、請求項１〜２５のいずれか１項記載の製造方法。
【請求項２７】
物質（２２）が堆積された支持体が、剥離可能フィルム（３２）で被覆される、請求項２６記載の製造方法。
【請求項２８】
請求項１〜２７のいずれか１項記載の方法によって得られる、物質の皮膚適用のためのパッチ。
【請求項２９】
パッチの支持領域上に位置付けられた物質を含み、支持領域が電気的に導電である、物質の皮膚適用のためのパッチ。
【請求項３０】
物質の皮膚適用のためのパッチであって、パッチが電気的に導電である層および絶縁層を含む支持体を含み、電気的に導電である層が皮膚に暴露されることを意図した支持体の面上にあり、物質が乾燥形態であって支持体の導電性面上で固定化される、パッチ。
【手続補正書】
【提出日】平成24年1月17日(2012.1.17)
【手続補正１】
【補正対象書類名】特許請求の範囲
【補正対象項目名】全文
【補正方法】変更
【補正の内容】
【特許請求の範囲】
【請求項１】
割り当てられた用量の液剤を投与するための注入装置であって、
−前記液剤を保持し、薬剤排出口と可動ピストンとを含むカートリッジと、
−用量を設定することができる用量設定手段と、
−前記設定された用量を注入することができ、前記カートリッジ内で前記ピストンを連続的に前進させるピストンロッドを含む注入手段と、
−取り外し可能なキャップと、
−前記キャップが前記注入装置に取り付けられているときに前記キャップに接するか又は係合するキャップ受容部品と
を含み、
前記キャップの前記注入装置に対する取り付け及び／又は取り外しによって前記用量設定手段が一回分の用量を設定するように、前記用量設定手段が前記キャップ受容部品に動作可能に接続されている、注入装置。
【請求項２】
前記薬剤排出口を覆うように前記キャップが前記注入装置に取り付けられているとき、前記キャップ受容部品が前記キャップに接するか又は係合する、請求項１に記載の注入装置。
【請求項３】
前記キャップの実質的に線形の動作により、前記用量設定手段が前記用量を設定する、請求項１又は２に記載の注入装置。
【請求項４】
前記キャップの回転運動により、前記用量設定手段が前記用量を設定する、請求項１又は２に記載の装置。
【請求項５】
前記キャップの螺旋運動により、前記用量設定手段が前記用量を設定する、請求項１又は２に記載の装置。
【請求項６】
設定された用量の注入を防止するロック機構をさらに含む、請求項１〜５のいずれか一項に記載の注入装置。
【請求項７】
前記キャップが前記注入装置に取り付けられると前記ロック機構が自動的に始動する、請求項６に記載の注入装置。
【請求項８】
前記ロック機構が、設定された用量の注入に先立って必ずロック解除状態に別途切り替えられる、請求項６又は７に記載の注入装置。
【請求項９】
前記キャップが前記注入装置から取り外されると、前記ロック機構が自動的に停止する、請求項６又は７に記載の注入装置。
【請求項１０】
前記用量設定手段及び前記注入手段に動作可能に接続されて、前記用量が設定される第一位置と、前記設定された用量を注入するために前記注入手段が始動されている第二位置との間で軸方向に移動する注入ボタンをさらに含み、前記キャップの前記注入装置に対する取り付け及び／又は取り外しによって前記注入ボタンが第一位置に移動するように、前記注入ボタンが前記キャップ受容部品に動作可能に接続されている、請求項１〜９のいずれか一項に記載の注入装置。
【請求項１１】
用量の設定中にエネルギー手段にエネルギーが蓄積されるように、且つ用量の注入中に、それまでに蓄積されていたエネルギーがエネルギー手段から放出されて前記用量が注入されるように、前記用量設定手段及び前記注入手段に接続されたエネルギー手段をさらに含む、請求項１〜１０のいずれか一項に記載の注入装置。
【請求項１２】
前記エネルギー手段が圧縮バネを含む、請求項１１に記載の注入装置。
【請求項１３】
前記エネルギー手段がねじりバネを含む、請求項１１に記載の注入装置。
【手続補正書】
【提出日】平成24年1月11日(2012.1.11)
【手続補正１】
【補正対象書類名】特許請求の範囲
【補正対象項目名】全文
【補正方法】変更
【補正の内容】
【特許請求の範囲】
【請求項１】
胴体部及び乳頭部を有する哺乳頭であって、複数の凸状領域及び複数の凹状領域を有する第１の構造化領域が、前記胴体部又は乳頭部の少なくとも一部領域に設けられ、前記複数の凸状領域及び複数の凹状領域の少なくとも一部領域に、第２の構造化領域が設けられている、哺乳頭。
【請求項２】
請求項１に記載の哺乳頭であって、隣接した前記凸状領域と前記凹状領域との間における、該凸状領域及び該凹状領域の垂直軸に沿って測定される距離の平均が、１００μｍより大きい、哺乳頭。
【請求項３】
請求項１に記載の哺乳頭であって、隣接した前記凸状領域と前記凹状領域との間における、該凸状領域及び該凹状領域の垂直軸に沿って測定される距離の平均が、少なくとも１２０μｍである、哺乳頭。
【請求項４】
請求項１ないし３のうちいずれか１項に記載の哺乳頭であって、隣接した前記凸状領域と前記凹状領域との間における、該凸状領域及び該凹状領域の垂直軸に沿って測定される距離の平均が、６００μｍ以下である、哺乳頭。
【請求項５】
請求項１ないし４のうちいずれか１つに記載の哺乳頭であって、隣接の凸状領域の間の平均距離は、少なくとも２００μｍである、哺乳頭。
【請求項６】
請求項１ないし５のうちいずれか１つに記載の哺乳頭であって、前記凸状領域は、変化する幾何学的構造特性を有する、哺乳頭。
【請求項７】
請求項１ないし６のうちいずれか１つに記載の哺乳頭であって、隣接の凸状領域の間の平均距離は、２０ｍｍ以下である、哺乳頭。
【請求項８】
請求項１ないし６のうちいずれか１つに記載の哺乳頭であって、隣接の凸状領域の間の平均距離は、３ｍｍ以下である、哺乳頭。
【請求項９】
請求項１ないし６のうちいずれか１つに記載の哺乳頭であって、隣接の凸状領域の間の平均距離は、１ｍｍ以下である、哺乳頭。
【請求項１０】
請求項１ないし９のうちいずれか１つに記載の哺乳頭であって、前記第２の構造化領域は、複数の凸状領域及び複数の凹状領域を有する、哺乳頭。
【請求項１１】
請求項１０に記載の哺乳頭であって、前記第１の構造化領域の隣接の凸状領域の間の平均距離は、前記第２の構造化領域の隣接の凸状領域の間の平均距離よりも大きい、哺乳頭。
【請求項１２】
請求項１０又は１１に記載の哺乳頭であって、前記第２の構造化領域の隣接の凸状領域の間の平均距離は、１００μｍ以下である、哺乳頭。
【請求項１３】
請求項１ないし１２のうちいずれか１つに記載の哺乳頭であって、前記第１の構造化領域は、前記胴体部又は乳頭部の壁部の外部領域に設けられ、前記壁部の内部領域は、前記第１の構造化領域の輪郭に略合致する輪郭を有する、哺乳頭。
【請求項１４】
請求項１ないし１３のうちいずれか１つに記載の哺乳頭であって、哺乳瓶と連係動作するように適合させられている哺乳頭。
【請求項１５】
哺乳瓶と請求項１ないし１４のうちいずれか１つに記載の哺乳頭とを有する哺乳瓶組立体。
【手続補正書】
【提出日】平成24年1月12日(2012.1.12)
【手続補正１】
【補正対象書類名】特許請求の範囲
【補正対象項目名】全文
【補正方法】変更
【補正の内容】
【特許請求の範囲】
【請求項１】
アイランド状のドレッシングであって、
第１の主表面を含む裏材と、
前記裏材の前記第１の主表面上に配置された接着剤と、
前記裏材の前記第１の主表面に近接するヒドロゲルのアイランド状パッドであって、前記ヒドロゲルパッドは４５％未満の水を含む、ヒドロゲルのアイランド状パッドと、
剥離ライナーと、を含み、
前記ヒドロゲルのパッドの外辺部の少なくとも一部分は、前記ヒドロゲルパッド及び前記剥離ライナーが前記ライナーの取り外し中に分離する領域に近接してテーパー状である、アイランド状のドレッシング。
【請求項２】
前記ヒドロゲルが、
架橋ポリ（Ｎ−ビニル）ラクタムを含む第１のポリマー、
膨潤剤、及び
前記膨潤剤内で膨張性の第２の変性ポリマーを含み、
前記第１のポリマーが前記膨潤剤の存在下で感圧性接着剤を形成し、
前記第２の変性ポリマー及び前記膨潤剤が、前記第１のポリマーの接着性を低減する一方で、前記組成物の凝集力を少なくとも維持する、請求項１に記載のアイランド状のドレッシング。
【手続補正書】
【提出日】平成23年12月12日(2011.12.12)
【手続補正１】
【補正対象書類名】特許請求の範囲
【補正対象項目名】全文
【補正方法】変更
【補正の内容】
【特許請求の範囲】
【請求項１】
ブロックコポリマーを含むポリマー−ポリマー複合体から少なくとも１部が作製されたステント体であって、
前記ブロックコポリマーは、ハードブロック及びソフトブロックを含み、
前記ハードブロック及びソフトブロックはジウレタン結合によって結合し、そして、
前記ポリマー−ポリマー複合体は、生分解性のガラス状ポリマーマトリックス中に分散した生分解性エラストマー相を含み、前記エラストマー相は前記ソフトブロックを含み、前記マトリックスは前記ハードブロックを含み、
前記ポリマーマトリックスはマトリックスポリマーをさらに含み、前記マトリックスポリマーはブロックコポリマーとブレンドされ、前記ハードブロックはマトリックスポリマーと混和性があり、前記ソフトブロックは生理学的条件において前記ハードブロック及び前記ポリマーマトリックスより強靭であり、前記ハードブロック及び前記マトリックスポリマーが体温より高いＴｇを有し、そして前記ソフトブロックが体温より低いＴｇを有する、ステント体。
【請求項２】
前記ジウレタン結合が、脂肪族官能基及び芳香族官能基からなる群から選択される官能基によって結合したウレタン基を含む、請求項１に記載のステント体。
【請求項３】
前記ソフトブロックがポリカプロラクトン（ＰＣＬ）、ポリ（トリメチレンカーボネート）（ＰＴＭＣ）、ポリ（４−ヒドロキシブチレート）（ＰＨＢ）、及びポリジオキサノン（ＰＤＯ）からなる群から選択され、そして、前記ハードブロックがポリ（Ｌ−ラクチド）（ＰＬＬＡ）又はポリ（Ｌ−ラクチド−ｃｏ−グリコリド）（ＰＬＧＡ）からなる群から選択される、請求項１に記載のステント体。
【請求項４】
前記ソフトブロックがポリ（カプロラクトン−ｃｏ−グリコリド）（Ｐ（ＣＬ−ｃｏ−ＧＡ））、ポリ（トリメチレンカーボネート−ｃｏ−グリコリド）（Ｐ（ＴＭＣ−ｃｏ−ＧＡ））、ポリ（ジオキサノン−ｃｏ−カプロラクトン）（Ｐ（ＤＯ−ｃｏ−ＣＬ））、及びポリ（ジオキサノン−ｃｏ−グリコリド）（Ｐ（ＤＯ−ｃｏ−ＧＡ））からなる群から選択され、そして、前記ハードブロックがポリ（Ｌ−ラクチド）（ＰＬＬＡ）又はポリ（Ｌ−ラクチド−ｃｏ−グリコリド）（ＰＬＧＡ）からなる群から選択される、請求項１に記載のステント体。
【請求項５】
ソフトブロックの分解速度が前記ハードブロック及び前記マトリックスポリマーより速く、前記ソフトブロックの分解が前記ステント体の分解時間を短縮する、請求項１に記載のステント体。
【請求項６】
前記ブロックコポリマーが前記ポリマーマトリックスと前記エラストマー相の間の接着を増強させ、その結果前記エラストマー相が前記ステント体の靭性を増大させることができる、請求項１に記載のステント体。
【請求項７】
前記ポリマー−ポリマー複合体が、７０〜９９重量％のマトリックスポリマーを含む、請求項１に記載のステント体。
【請求項８】
前記ブロックコポリマーの前記ハードブロックが前記マトリックスと前記エラストマー相との間の接着を増強し、その結果前記エラストマー相が前記ステント体の靭性を増大することができる、請求項１に記載のステント体。
【請求項９】
前記マトリックスポリマー及び前記ハードブロックがポリ（Ｌ−ラクチド）（ＰＬＬＡ）を含み、そして前記ソフトブロックがポリカプロラクトン（ＰＣＬ）、ポリ（トリメチレンカーボネート）（ＰＴＭＣ）、ポリ（４−ヒドロキシブチレート）（ＰＨＢ）、ポリジオキサノン（ＰＤＯ）、ポリ（カプロラクトン−ｃｏ−グリコリド）（Ｐ（ＣＬ−ｃｏ−ＧＡ））、ポリ（トリメチレンカーボネート−ｃｏ−グリコリド）（Ｐ（ＴＭＣ−ｃｏ−ＧＡ））、ポリ（ジオキサノン−ｃｏ−カプロラクトン）（Ｐ（ＤＯ−ｃｏ−ＣＬ））、及びポリ（ジオキサノン−ｃｏ−グリコリド）（Ｐ（ＤＯ−ｃｏ−ＧＡ））からなる群から選択される、請求項１に記載のステント体。
【請求項１０】
ハードポリマージオール、ソフトポリマージオール、及びジイソシアネートを反応させて、ジウレタン結合によって結合したハードポリマーブロック及びソフトポリマーブロックを含む生分解性ポリウレタンを形成する工程；
前記ポリウレタンをガラス状マトリックスポリマーとブレンドする工程；及び
前記ポリウレタンを含むステント体を形成する工程；を含む、請求項１に規定するステントを作製する方法であって、
前記ソフトブロックが生理学的条件において前記ハードブロックより大きい靱性を有する、方法。
【請求項１１】
前記ハードブロックがポリ（Ｌ−ラクチド）（ＰＬＬＡ）又はポリ（Ｌ−ラクチド−ｃｏ−グリコリド）（ＰＬＧＡ）からなる群から選択され、そして前記ソフトブロックがポリカプロラクトン（ＰＣＬ）、ポリ（トリメチレンカーボネート）（ＰＴＭＣ）、ポリ（４−ヒドロキシブチレート）（ＰＨＢ）、及びポリジオキサノン（ＰＤＯ）からなる群から選択される、請求項１０に記載の方法。
【請求項１２】
前記ソフトブロックがポリ（カプロラクトン−ｃｏ−グリコリド）（Ｐ（ＣＬ−ｃｏ−ＧＡ））、ポリ（トリメチレンカーボネート−ｃｏ−グリコリド）（Ｐ（ＴＭＣ−ｃｏ−ＧＡ））、ポリ（４−ヒドロキシブチレート−ｃｏ−グリコリド）（Ｐ（ＨＢ−ｃｏ−ＧＡ））、及びポリ（ジオキサノン−ｃｏ−グリコリド）（Ｐ（ＤＯ−ｃｏ−ＧＡ））からなる群から選択され、そして前記ハードブロックがポリ（Ｌ−ラクチド）（ＰＬＬＡ）又はポリ（Ｌ−ラクチド−ｃｏ−グリコリド）（ＰＬＧＡ）からなる群から選択される、請求項１０に記載の方法。
【請求項１３】
前記ジイソシアネートが脂肪族ジイソシアネート又は芳香族ジイソシアネートを含む、請求項１０に記載の方法。
【請求項１４】
前記ジイソシアネートが、ジイソシアネートメタン、ジイソシアネートブタン、ジイソシアネートエタン、ジイソシアネートヘキサン、ジイソシアネートクバン、リシンジイソシアネート、及びジイソシアネートシクロヘキサンからなる群から選択される、請求項１０に記載の方法。
【手続補正書】
【提出日】平成24年1月12日(2012.1.12)
【手続補正１】
【補正対象書類名】明細書
【補正対象項目名】００２７
【補正方法】変更
【補正の内容】
【００２７】
ここで、前記パネル移動手段６２３は、前記センサパネル６２２を上下、左右及び対角線のうちのいずれか一つ以上の方向に移動させて撮影することにより、前記Ｘ線センサ部６２０は、図５に示すように、前記第２の映像データ７１０のバッティング領域６２４が、前記第１の映像データ７００のバッティング領域６２４と重ならない第２の映像データ７１０を検出する。
【手続補正書】
【提出日】平成24年1月20日(2012.1.20)
【手続補正１】
【補正対象書類名】特許請求の範囲
【補正対象項目名】全文
【補正方法】変更
【補正の内容】
【特許請求の範囲】
【請求項１】
少なくとも１つのポンプチャンバを含む使い捨ての流体ハンドリングカセットに結合するように構成および配置された再使用可能なサイクラーを備え、  前記使い捨ての流体ハンドリングカセットは、第１コラプシブルチューブを介して患者の腹膜と流体連通的に接続されるとともに、第２コラプシブルチューブを介して第２ソースと送出先のうちの少なくとも一つと流体連通的に接続するように構成されており、  前記サイクラー内に位置決めされて、前記第２コラプシブルチューブを遮断していない時に、前記第１コラプシブルチューブを選択的に遮断するように構成されたオクルーダを更に備える、自動腹膜透析システム。
【請求項２】
前記オクルーダは、複数のコラプシブルチューブを遮断するように構成されている、請求項１に記載の自動腹膜透析システム。
【請求項３】
前記使い捨ての流体ハンドリングカセットは、略平面的な本体であって、凹みとして形成された少なくとも１つのポンプチャンバを第１面に有しさらに複数の流体用流路を有する前記本体と、  前記第１コラプシブルチューブに接続するように配置され、前記本体の第１端部に位置する患者ラインポートであって、少なくとも１本の流路を介して、少なくとも１つのポンプチャンバと流体連通している前記患者ラインポートと、  前記本体の前記第１端部とは反対の第２端部に位置し、前記第２コラプシブルチューブと接続するように配置された溶液ラインポートであって、少なくとも１本の流路を介して、前記少なくとも１つのポンプチャンバと流体連通している前記溶液ラインポートとを備える、請求項２に記載の自動腹膜透析システム。
【請求項４】
前記流体ハンドリングカセットはさらに、前記本体の前記第１端部に位置し、第３コラプシブルチューブに接続するように配置された患者排液ラインポートであって、少なくとも１本の流路を介して、少なくとも１つのポンプチャンバと流体連通している前記患者排液ラインポートを更に備え、  前記オクルーダは、前記第２コラプシブルチューブを遮断していない時には、前記第１、第３コラプシブルチューブを選択的に遮断するように構成されて前記サイクラー内に位置決めされている請求項３に記載の自動腹膜透析システム。
【請求項５】
前記流体ハンドリングカセットは、前記本体の前記第１端部の反対にある前記第２端部に複数の溶液ラインポートを備え、各溶液ラインポートはコラプシブルチューブに接続するようにそれぞれ配置されており、各溶液ラインポートは、少なくとも１本の流路を介して前記少なくとも１つのポンプチャンバと流体連通しており、  前記オクルーダは、前記溶液ラインポートに接続した前記複数のコラプシブルチューブを遮断していない間は、前記第１、第３コラプシブルチューブを選択的に遮断するように構成されて前記サイクラー内に位置決めされている、請求項４に記載の自動腹膜透析システム。
【請求項６】
前記オクルーダは、  対向する第１および第２遮断部材と、  前記第１および第２遮断部材のうちの少なくとも一つの遮断部材に接続されるかもしくは当該少なくとも一つの遮断部材の少なくとも一部分を備える管接触部材と、  前記第１および第２遮断部材の少なくとも一つに力を印加して、前記第１および第２遮断部材が対向的に位置している領域内において前記第１および第２遮断部材の間の距離を延ばすように構成および位置決めされたフォースアクチュエータとを備え、  前記距離を延ばすべく前記フォースアクチュエータによって力が印加されると、前記管接触部材は管遮断位置と開位置の間で移動する、請求項１〜５のいずれか一項に記載の自動腹膜透析システム。
【請求項７】
前記オクルーダは、  弾性の遮断部材と、  前記遮断部材に接続されるかもしくは当該遮断部材の少なくとも一部を備える管接触部材と、  前記遮断部材を曲げる力を印加して前記管接触部材を管遮断位置から開位置へ移動させるように構成され位置決めされた、マイクロプロセッサベースの制御システムによって制御されたフォースアクチュエータと、  前記フォースアクチュエータによって前記遮断部材に力が印加されていない状態でも、操作者が手動で前記管接触部材を前記管遮断位置から前記開位置へと移動できるように構成され位置決めされた解放部材とを備える、請求項１〜５のいずれか一項に記載の自動腹膜透析システム。
【請求項８】
前記オクルーダは、  旋回的に相互に接続された対向する第１および第２遮断部材と、  前記第１および第２遮断部材のうちの少なくとも一つの遮断部材に接続されるかもしくは当該少なくとも一つの遮断部材の少なくとも一部を備える管接触部材と、  前記第１および第２遮断部材の少なくとも一つに力を印加するように構成および位置決めされたフォースアクチュエータとを備え、  前記フォースアクチュエータによって前記力が印加されると、前記管接触部材は管遮断位置と開位置の間で移動する、請求項１〜５のいずれか一項に記載の自動腹膜透析システム。
【請求項９】
前記オクルーダは、  対向する第１および第２弾性遮断部材と、  前記第１および第２遮断部材のうちの少なくとも一つの遮断部材に接続されるかもしくは当該少なくとも一つの遮断部材の少なくとも一部を備える管接触部材と、  前記第１および第２遮断部材の両方を曲げるのに十分な力を印加するように構成および位置決めされた単一のフォースアクチュエータとを備え、  前記第１および第２遮断部材を曲げるための前記力が前記フォースアクチュエータによって印加されると、前記管接触部材は管遮断位置と開位置の間で移動する、請求項１〜５のいずれか一項に記載の自動腹膜透析システム。
【請求項１０】
前記遮断部材は、対向する第１および第２端部にて互いに旋回可能に接続されたばね板である、請求項８に記載の自動腹膜透析システム。
【請求項１１】
前記管接触部材は、前記ばね板の前記第１端部に接続したピンチヘッドを備え、前記ばね板の前記第２端部は、前記オクルーダが接続されたハウジングに直接または間接的に固定されている、請求項１０に記載の自動腹膜透析システム。
【請求項１２】
前記フォースアクチュエータはマイクロプロセッサベースの制御システムによって制御されている、請求項６〜１１のいずれか一項に記載の腹膜透析システム。
【請求項１３】
前記フォースアクチュエータは、前記第１および第２遮断部材の間に位置決めされた膨張可能な袋を備える、請求項６〜１２のいずれか一項に記載の腹膜透析システム。
【請求項１４】
前記フォースアクチュエータによる力の印加によって、前記管接触部材は管遮断位置から、前記患者の腹膜と前記少なくとも１つのポンプチャンバとの間を流れるようになる開位置へ移動する、請求項６〜１３のいずれか一項に記載の腹膜透析システム。
【請求項１５】
前記再使用可能なサイクラーはドアを備える、請求項１〜１４のいずれか一項に記載の自動腹膜透析システム。
【請求項１６】
前記ドアは、前記第１コラプシブルチューブのための案内部を備える、請求項１〜１５のいずれか一項に記載の腹膜透析システム。
【請求項１７】
前記ドアは、前記第１コラプシブルチューブを遮断するのを補助するためのオクルーダ停止部を備える、請求項１〜１６のいずれか一項に記載の腹膜透析システム。
【手続補正書】
【提出日】平成23年12月8日(2011.12.8)
【手続補正１】
【補正対象書類名】特許請求の範囲
【補正対象項目名】全文
【補正方法】変更
【補正の内容】
【特許請求の範囲】
【請求項１】
脂肪組織（２１０）レーザー治療のための使い捨て針（１００）であって、前記針（１００）は第一端（１０８）と第二端（１１２）を有する固体の光伝導体（１０４）を含み、第一端（１０８）は組織（２１０）中に貫通する形状とされており、第二端（１１２）は少なくともレーザー放射のソース（１６０）に直接接続するように適応されている、使い捨て針（１００）。
【請求項２】
針（１００）が、円（１２８）、楕円（１３２）、または多角形（１３６）の断面を有するジャケットを持つ、請求項１による使い捨て針（１００）。
【請求項３】
針（１００）の第一端（１０８）が、端子、光学軸に垂直な平面、光学軸に対して角度を持った平面、または半径のグループの一つによって終端されている、請求項１による使い捨て針（１００）。
【請求項４】
コネクター（１１６）が、針（１００）の第二端（１１２）を終端する、請求項１による使い捨て針（１００）。
【請求項５】
コネクター（１１６）が、光ファイバーコネクターまたは光ファイバーコネクターと液体伝導チャネル（１８４）の組み合わせのグループの一つである、請求項４による使い捨て針（１００）。
【請求項６】
光伝導体（１０４）が、
レーザー放射伝導ガイド（１２０）と、
保護ジャケット（１２８、１３２、１３６）であって、前記ジャケットは針（１００）に必要な硬度を提供するものと、
を更に含む、請求項１による使い捨て針（１００）。
【請求項７】
前記ジャケットが、脂肪組織レーザー治療生成物除去（１６８）のための設備に接続されている、請求項６よる使い捨て針（１００）。
【請求項８】
皮膚表面（２６２）と接触し、治療された組織容積（２６０）上に位置し、針（２３０）の第一端（２５６）に付き従って針（２３０）の第一端（２５６）上の組織の皮膚表面（２６２）の温度を測定するように構成された、片持ち梁（２５２）上に載置された温度センサー（２４８）を更に含む、請求項１または６のいずれか一つによる使い捨て針（２３０）。
【請求項９】
温度センサー（２４８）が、治療された皮膚容積（２６０）に結合されたレーザーパワーを制御するコントローラに温度表示度数を提供する、請求項１または６のいずれか一つによる使い捨て針（１００）。
【請求項１０】
脂肪組織レーザー治療のための装置であって、前記装置は、
使い捨て針（１００）であって、
脂肪組織（２１０）中に貫通するように構成された第一端（１０８）と、少なくともレーザー放射のソース（１６０）に直接接続するように適応された第二端（１１２）を有する固体の光伝導体（１０４）と、
一つ以上の流体伝導チャネル（１８６）とを、含む使い捨て針（１００）と、
コントローラ（１６４）であって、
脂肪組織レーザー治療生成物除去（１６８）のための設備と、
一つ以上のレーザー放射のソース（１６０）と、を含むコントローラ（１６４）と、
温度センサー（２４８）を読み、安全性組織治療を提供すべくレーザーパワーを適応させるように構成されたフィードバック受信設備（１７６）と、
を含む装置。
【請求項１１】
前記脂肪組織レーザー治療生成物除去（１６８）のための設備が吸引ポンプである、請求項１０による装置。
【請求項１２】
前記レーザー放射のソース（１６０）が連続放射モードの一つまたはパルスで動作する、請求項１０による装置。
【請求項１３】
前記針（１００、２３０）が、レーザー放射のソース（１６０）に直接または光ファイバーケーブルを介して接続するように構成されている、請求項１０による装置。
【請求項１４】
ユーザインターフェース（１７２）を提供し、前記レーザー放射のソース（１６０）と脂肪組織レーザー治療生成物除去（１６８）のための設備の動作を同期させ、温度測定フィードバックを含むコントローラ（１６４）を更に含む、請求項１０による装置。
【請求項１５】
皮膚表面（２６２）と接触し、針（２３０）の第一端（２５６）に付き従って針（２３０）の第一端（２５６）上の皮膚表面（２６２）の温度を測定するように構成された、片持ち梁（２５２）上に載置された温度センサー（２４８）を更に含む、請求項１０による装置。
【請求項１６】
温度センサー（２４８）が、治療された皮膚容積（２６０）に結合されたレーザーパワーを制御するコントローラ（１６０）に温度表示度数を提供する、請求項１０または１５のいずれか一つによる装置。